(57)【特許請求の範囲】
【請求項１】
表示画面に表示された図形情報の領域に使用者が触れることによって操作される表示手段に、使用者が触れたときに、触れた領域及び触れた前記図形情報の領域の数を検出する検出手段と、
使用者を示す使用者情報を受け付ける受付手段と、
前記使用者情報毎に、前記触れた図形情報の領域の数が２以上であるときに前記触れた領域に対応する前記複数の図形情報を変更する方式として、前記触れた領域に対応する前記複数の図形情報の各々の大きさを拡大する方式、前記複数の図形情報の間隔を拡大する方式、及び前記複数の図形情報の各々の大きさを縮小する方式の何れかを設定する設定手段と、
前記検出手段によって検出された、前記触れた図形情報の領域の数が２以上である場合、前記検出手段によって検出された、前記触れた領域に対応する複数の図形情報を、前記受付手段によって受け付けられた前記使用者情報に対応して前記設定手段によって設定された前記方式に従って変更し、前記表示画面に表示された前記図形情報に重畳させて、前記変更された前記複数の図形情報を表示させるように前記表示手段を制御する表示制御手段と、
を含む情報処理装置。
【請求項２】
表示画面に表示された図形情報の領域に使用者が触れることによって操作される表示手段に、使用者が触れたときに、触れた領域及び触れた前記図形情報の領域の数を検出する検出手段と、
前記検出手段によって検出された、前記触れた図形情報の領域の数が２以上である場合、前記検出手段によって検出された、前記触れた領域に対応する複数の図形情報の各々の大きさ又は前記複数の図形情報の間隔を拡大するように、又は前記複数の図形情報の各々の大きさを縮小するように変更し、前記表示画面に表示された前記図形情報に重畳させて、前記変更された前記複数の図形情報を表示させるように前記表示手段を制御する表示制御手段と、
を含む情報処理装置であって、
前記表示制御手段は、
前記検出手段によって検出された、前記触れた図形情報の領域の数が２以上である場合、前記検出手段によって検出された、前記触れた領域に対応する複数の図形情報の各々の大きさを拡大する方式、前記複数の図形情報の間隔を拡大する方式、及び前記複数の図形情報の各々の大きさを縮小する方式の何れかに従って、前記触れた領域に対応する複数の図形情報を変更し、前記表示画面に表示された前記図形情報に重畳させて、前記変更された前記複数の図形情報を表示させるように前記表示手段を制御し、
前記複数の図形情報を変更して表示させた前記表示画面において、前記検出手段によって検出された、前記触れた図形情報の数が２以上である場合、前記検出手段によって検出された、前記触れた領域に対応する前記複数の図形情報を、前回の方式とは異なる方式に従って変更し、前記表示画面に表示された前記図形情報に重畳させて、前記変更された前記複数の図形情報を表示させるように前記表示手段を制御する
情報処理装置。
【請求項３】
コンピュータを、
表示画面に表示された図形情報の領域に使用者が触れることによって操作される表示手段に、使用者が触れたときに、触れた領域及び触れた前記図形情報の領域の数を検出する検出手段、
使用者を示す使用者情報を受け付ける受付手段、
前記使用者情報毎に、前記触れた図形情報の領域の数が２以上であるときに前記触れた領域に対応する前記複数の図形情報を変更する方式として、前記触れた領域に対応する前記複数の図形情報の各々の大きさを拡大する方式、前記複数の図形情報の間隔を拡大する方式、及び前記複数の図形情報の各々の大きさを縮小する方式の何れかを設定する設定手段、及び
前記検出手段によって検出された、前記触れた図形情報の領域の数が２以上である場合、前記検出手段によって検出された、前記触れた領域に対応する複数の図形情報を、前記受付手段によって受け付けられた前記使用者情報に対応して前記設定手段によって設定された前記方式に従って変更し、前記表示画面に表示された前記図形情報に重畳させて、前記変更された前記複数の図形情報を表示させるように前記表示手段を制御する表示制御手段
として機能させるためのプログラム。
【請求項４】
コンピュータを、
表示画面に表示された図形情報の領域に使用者が触れることによって操作される表示手段に、使用者が触れたときに、触れた領域及び触れた前記図形情報の領域の数を検出する検出手段、及び
前記検出手段によって検出された、前記触れた図形情報の領域の数が２以上である場合、前記検出手段によって検出された、前記触れた領域に対応する複数の図形情報の各々の大きさ又は前記複数の図形情報の間隔を拡大するように、又は前記複数の図形情報の各々の大きさを縮小するように変更し、前記表示画面に表示された前記図形情報に重畳させて、前記変更された前記複数の図形情報を表示させるように前記表示手段を制御する表示制御手段
として機能させるためのプログラムであって、
前記表示制御手段は、
前記検出手段によって検出された、前記触れた図形情報の領域の数が２以上である場合、前記検出手段によって検出された、前記触れた領域に対応する複数の図形情報の各々の大きさを拡大する方式、前記複数の図形情報の間隔を拡大する方式、及び前記複数の図形情報の各々の大きさを縮小する方式の何れかに従って、前記触れた領域に対応する複数の図形情報を変更し、前記表示画面に表示された前記図形情報に重畳させて、前記変更された前記複数の図形情報を表示させるように前記表示手段を制御し、
前記複数の図形情報を変更して表示させた前記表示画面において、前記検出手段によって検出された、前記触れた図形情報の数が２以上である場合、前記検出手段によって検出された、前記触れた領域に対応する前記複数の図形情報を、前回の方式とは異なる方式に従って変更し、前記表示画面に表示された前記図形情報に重畳させて、前記変更された前記複数の図形情報を表示させるように前記表示手段を制御する
プログラム。
【発明の詳細な説明】
【技術分野】
【０００１】
本発明は、情報処理装置及びプログラムに関する。
【背景技術】
【０００２】
従来より、タッチパネルに表示されたアイコンにユーザが触れることによって操作される表示装置であって、相異なる複数のアイコンサイズを記憶する記憶部と、前記タッチパネルの、前記ユーザに触れられた領域を検出する検出部と、前記検出部によって検出された前記領域の情報と、前記記憶部に記憶された前記アイコンサイズの情報とを比較することにより、前記タッチパネルに表示される前記アイコンのアイコンサイズを、前記記憶部に記憶された前記複数の前記アイコンサイズの中から選択する選択部と、を備えることを特徴とする表示装置が知られている（特許文献１）。
【先行技術文献】
【特許文献】
【０００３】
【特許文献１】特開２００８−２１７７０４号公報
【発明の概要】
【発明が解決しようとする課題】
【０００４】
使用者が、表示画面の誤った図形情報の領域に触れて誤操作することを抑制する情報処理装置及びプログラムを提供することを目的とする。
【課題を解決するための手段】
【０００５】
上記の目的を達成するために、請求項１記載の発明に係る情報処理装置は、表示画面に表示された図形情報の領域に使用者が触れることによって操作される表示手段に、使用者が触れたときに、触れた領域及び触れた前記図形情報の領域の数を検出する検出手段と、使用者を示す使用者情報を受け付ける受付手段と、前記使用者情報毎に、前記触れた図形情報の領域の数が２以上であるときに前記触れた領域に対応する前記複数の図形情報を変更する方式として、前記触れた領域に対応する前記複数の図形情報の各々の大きさを拡大する方式、前記複数の図形情報の間隔を拡大する方式、及び前記複数の図形情報の各々の大きさを縮小する方式の何れかを設定する設定手段と、前記検出手段によって検出された、前記触れた図形情報の領域の数が２以上である場合、前記検出手段によって検出された、前記触れた領域に対応する複数の図形情報を、前記受付手段によって受け付けられた前記使用者情報に対応して前記設定手段によって設定された前記方式に従って変更し、前記表示画面に表示された前記図形情報に重畳させて、前記変更された前記複数の図形情報を表示させるように前記表示手段を制御する表示制御手段と、を含んで構成されている。
【０００８】
請求項２記載の発明に係る情報形成装置は、表示画面に表示された図形情報の領域に使用者が触れることによって操作される表示手段に、使用者が触れたときに、触れた領域及び触れた前記図形情報の領域の数を検出する検出手段と、前記検出手段によって検出された、前記触れた図形情報の領域の数が２以上である場合、前記検出手段によって検出された、前記触れた領域に対応する複数の図形情報の各々の大きさ又は前記複数の図形情報の間隔を拡大するように、又は前記複数の図形情報の各々の大きさを縮小するように変更し、前記表示画面に表示された前記図形情報に重畳させて、前記変更された前記複数の図形情報を表示させるように前記表示手段を制御する表示制御手段と、を含む情報処理装置であって、前記表示制御手段は、前記検出手段によって検出された、前記触れた図形情報の領域の数が２以上である場合、前記検出手段によって検出された、前記触れた領域に対応する複数の図形情報の各々の大きさを拡大する方式、前記複数の図形情報の間隔を拡大する方式、及び前記複数の図形情報の各々の大きさを縮小する方式の何れかに従って、前記触れた領域に対応する複数の図形情報を変更し、前記表示画面に表示された前記図形情報に重畳させて、前記変更された前記複数の図形情報を表示させるように前記表示手段を制御し、前記複数の図形情報を変更して表示させた前記表示画面において、前記検出手段によって検出された、前記触れた図形情報の数が２以上である場合、前記検出手段によって検出された、前記触れた領域に対応する前記複数の図形情報を、前回の方式とは異なる方式に従って変更し、前記表示画面に表示された前記図形情報に重畳させて、前記変更された前記複数の図形情報を表示させるように前記表示手段を制御する。
【０００９】
請求項３記載の発明に係るプログラムは、コンピュータを、表示画面に表示された図形情報の領域に使用者が触れることによって操作される表示手段に、使用者が触れたときに、触れた領域及び触れた前記図形情報の領域の数を検出する検出手段、使用者を示す使用者情報を受け付ける受付手段、前記使用者情報毎に、前記触れた図形情報の領域の数が２以上であるときに前記触れた領域に対応する前記複数の図形情報を変更する方式として、前記触れた領域に対応する前記複数の図形情報の各々の大きさを拡大する方式、前記複数の図形情報の間隔を拡大する方式、及び前記複数の図形情報の各々の大きさを縮小する方式の何れかを設定する設定手段、及び前記検出手段によって検出された、前記触れた図形情報の領域の数が２以上である場合、前記検出手段によって検出された、前記触れた領域に対応する複数の図形情報を、前記受付手段によって受け付けられた前記使用者情報に対応して前記設定手段によって設定された前記方式に従って変更し、前記表示画面に表示された前記図形情報に重畳させて、前記変更された前記複数の図形情報を表示させるように前記表示手段を制御する表示制御手段として機能させるためのプログラムである。
請求項４記載の発明に係るプログラムは、コンピュータを、表示画面に表示された図形情報の領域に使用者が触れることによって操作される表示手段に、使用者が触れたときに、触れた領域及び触れた前記図形情報の領域の数を検出する検出手段、及び前記検出手段によって検出された、前記触れた図形情報の領域の数が２以上である場合、前記検出手段によって検出された、前記触れた領域に対応する複数の図形情報の各々の大きさ又は前記複数の図形情報の間隔を拡大するように、又は前記複数の図形情報の各々の大きさを縮小するように変更し、前記表示画面に表示された前記図形情報に重畳させて、前記変更された前記複数の図形情報を表示させるように前記表示手段を制御する表示制御手段として機能させるためのプログラムであって、前記表示制御手段は、前記検出手段によって検出された、前記触れた図形情報の領域の数が２以上である場合、前記検出手段によって検出された、前記触れた領域に対応する複数の図形情報の各々の大きさを拡大する方式、前記複数の図形情報の間隔を拡大する方式、及び前記複数の図形情報の各々の大きさを縮小する方式の何れかに従って、前記触れた領域に対応する複数の図形情報を変更し、前記表示画面に表示された前記図形情報に重畳させて、前記変更された前記複数の図形情報を表示させるように前記表示手段を制御し、前記複数の図形情報を変更して表示させた前記表示画面において、前記検出手段によって検出された、前記触れた図形情報の数が２以上である場合、前記検出手段によって検出された、前記触れた領域に対応する前記複数の図形情報を、前回の方式とは異なる方式に従って変更し、前記表示画面に表示された前記図形情報に重畳させて、前記変更された前記複数の図形情報を表示させるように前記表示手段を制御するプログラムである。
【発明の効果】
【００１０】
以上説明したように、請求項１記載の情報処理装置によれば、表示画面に表示された２以上の図形情報の領域に使用者が触れた場合、触れた領域に対応する複数の図形情報の各々の大きさ又は間隔を変更して表示させる構成を有しない場合と比較して、使用者が、表示画面の誤った図形情報の領域に触れて誤操作することを抑制することができる、という効果が得られる。
【００１１】
請求項１記載の情報処理装置によれば、触れた領域に対応する複数の図形情報を変更する方式を、複数の方式の中から設定することができる、という効果が得られる。
【００１２】
請求項１記載の情報処理装置によれば、使用者情報毎に、触れた領域に対応する複数の図形情報を変更する方式を、複数の方式の中から設定することができる、という効果が得られる。
【００１３】
請求項２記載の情報処理装置によれば、使用者が、繰り返し、表示画面に表示された２以上の図形情報の領域に触れた場合、触れた領域に対応する複数の図形情報を変更する方式を変える構成を有しない場合と比較して、使用者が、表示画面の誤った図形情報の領域に触れて誤操作することを抑制することができる、という効果が得られる。
【００１４】
請求項３、４記載のプログラムによれば、表示画面に表示された２以上の図形情報の領域に使用者が触れた場合、触れた領域に対応する複数の図形情報の各々の大きさ又は間隔を変更して表示させる構成を有しない場合と比較して、使用者が、表示画面の誤った図形情報の領域に触れて誤操作することを抑制することができる、という効果が得られる。
【図面の簡単な説明】
【００１５】
【図１】本発明の第１の実施の形態に係る画像処理装置の構成を示す概略図である。
【図２】本発明の第１の実施の形態に係る画像処理装置の機能構成を示すブロック図である。
【図３】（Ａ）ＵＩパネルにアイコンを表示した様子を示すイメージ図、（Ｂ）アイコンのサイズを拡大するように変更した様子をイメージ図、（Ｃ）アイコンのサイズを縮小するように変更した様子をイメージ図、及び（Ｄ）アイコンの間隔を拡大するように変更した様子をイメージ図である。
【図４】本発明の第１の実施の形態に係る画像処理装置におけるアイコン変更処理ルーチンの内容を示すフローチャートである。
【図５】本発明の第１の実施の形態に係る画像処理装置におけるアイコン変更処理ルーチンの内容を示すフローチャートである。
【図６】本発明の第２の実施の形態に係る画像処理装置の機能構成を示すブロック図である。
【図７】本発明の第２の実施の形態に係る画像処理装置におけるアイコン変更処理ルーチンの内容を示すフローチャートである。
【発明を実施するための形態】
【００１６】
以下、本発明の実施の形態について図面を参照して説明する。なお、以下では、画像処理装置に本発明を適用した場合を例に説明する。
【００１７】
図１に示すように、本発明の第１の実施の形態に係る画像処理装置１０は、予め定められた読み込み位置に置かれた記録用紙から画像を読み込み、当該画像を示す画像情報を取得するスキャナ１８と、電子写真方式にて記録用紙上への画像の印刷を行う印刷エンジン部２０と、ディスプレイ上に透過型のタッチパネルが重ねられたタッチパネルディスプレイ等から構成され、各種情報がディスプレイの表示面に表示されると共に、ユーザがタッチパネルに触れることにより所望の情報や指示が入力されるＵＩ（ユーザ・インタフェース）パネル２２と、ＩＣ（Integrated Circuit）カードに記憶された情報を読み取るためのＩＣカードリーダ２４と、ファクシミリ電文の送受信を行うファクシミリ（以下、「ＦＡＸ」という。）部２６と、を備えている。
【００１８】
なお、本実施形態に係る印刷エンジン部２０は、イエロー、マゼンタ、シアン、ブラックの４色のトナーを用いてフルカラーの画像を形成する。あるいは、印刷エンジン部２０は、ブラックのトナーを用いて白黒の濃淡画像を形成する。
【００１９】
また、画像処理装置１０は、装置全体の動作を司るＣＰＵ（中央処理装置）２８と、制御プログラムや後述するアイコン変更処理ルーチンを実行するためのプログラムを含む各種プログラムや各種パラメータ等を予め記憶するＲＯＭ３０と、各種データを一時的に記憶するＲＡＭ３２と、装置の電源スイッチが切られても保持しなければならない各種情報を記憶するＨＤＤ（ハード・ディスク・ドライブ）３４と、スキャナ１８による光学的な画像の読み取りを制御するスキャナドライバ３６と、印刷エンジン部２０の作動を制御する印刷エンジン制御部３８と、ＵＩパネル２２のディスプレイの制御を行うと共に、タッチパネルに対する操作状態を検出するＵＩパネル制御部４０と、ＩＣカードリーダ２４によるＩＣカードの読み取りを制御するカードリーダ制御部４２と、を備えている。
【００２０】
ＵＩパネル２２は、例えば、アナログ抵抗膜方式のタッチパネルで構成されており、それぞれＸ座標、Ｙ座標を検出するための、抵抗膜が印刷された上下２枚のフィルムを備えている。ユーザがＵＩパネル２２に触れると、上下のフィルムの抵抗膜が接触し、ＵＩパネル制御部４０は、ＵＩパネル２２のフィルム両端の電圧値から、触れている位置のＸ座標、Ｙ座標を取得する。なお、ＵＩパネル２２が、表示手段の一例である。
【００２１】
ＣＰＵ２８、ＲＯＭ３０、ＲＡＭ３２、ＨＤＤ３４、スキャナドライバ３６、印刷エンジン制御部３８、ＵＩパネル制御部４０、及びカードリーダ制御部４２は、システムＢＵＳを介して相互に接続されている。従って、ＣＰＵ２８は、ＲＯＭ３０、ＲＡＭ３２、ＨＤＤ３４へのアクセス、スキャナドライバ３６を介したスキャナ１８の作動の制御と、印刷エンジン制御部３８を介した印刷エンジン部２０の作動の制御と、ＵＩパネル制御部４０を介したＵＩパネル２２への各種情報の表示と、ＵＩパネル制御部４０を介したＵＩパネル２２に対するユーザの操作指示内容の把握と、カードリーダ制御部４２を介したＩＣカードリーダ２４によるＩＣカードの読み取り制御と、を各々行う。
【００２２】
画像処理装置１０のＣＰＵ２８、ＲＯＭ３０、ＲＡＭ３２、ＨＤＤ３４を、機能ブロックで表すと、図２に示すように、アイコン接触検出部５０、接触数検出部５２、接触領域検出部５４、変更判定部５６、変更方式決定部５８、サイズ決定部６０、変更画像生成部６２、再変更判定部６３、ユーザ認証部６４、変更方式設定部６５、ユーザ設定制御部６６、及びユーザ設定記憶部６８を備えている。
【００２３】
なお、接触数検出部５２及び接触領域検出部５４は、検出手段の一例であり、変更判定部５６、変更方式決定部５８、変更画像生成部６２、及び再変更判定部６３は、表示制御手段の一例である。また、ユーザ認証部６４は、受付手段の一例である。
【００２４】
アイコン接触検出部５０は、ＵＩパネル制御部４０から出力される、接触された位置座標及び操作画面に表示されたアイコンの表示領域の座標に基づいて、ＵＩパネル２２に表示された操作画面のアイコンに、ユーザが触れたことを検出する。なお、アイコンが、図形情報の一例である。
【００２５】
接触数検出部５２は、ユーザがアイコンに触れたことを検出した場合に、ＵＩパネル制御部４０から出力される、接触された位置座標及び操作画面に表示されたアイコンの表示領域の座標に基づいて、ユーザが触れたアイコンの数を検出する。
【００２６】
接触領域検出部５４は、ユーザがアイコンに触れたことを検出した場合に、ＵＩパネル制御部４０から出力される、接触された位置座標に基づいて、ユーザが触れた領域を検出する。
【００２７】
変更判定部５６は、図３（Ａ）に示すように、接触数検出部５２によって検出された、触れたアイコンの数が、２つ以上である場合、操作画面のアイコンを変更すると判定する。
【００２８】
変更方式決定部５８は、アイコンを変更する方式として、図３（Ｂ）に示すような、アイコンのサイズを拡大するように変更する方式、図３（Ｃ）に示すような、アイコンのサイズを縮小するように変更する方式、及び図３（Ｄ）に示すような、アイコンの間隔を拡大するように変更する方式のいずれか１つを決定する。
【００２９】
サイズ決定部６０は、ＵＩパネル２２の画面サイズに基づいて、アイコンのサイズの拡大率又は縮小率を決定する。
【００３０】
変更画像生成部６２は、決定された方式、及び決定された拡大率又は縮小率に従って、ユーザが触れたアイコンを含む、ユーザが触れた領域の周辺の複数のアイコンのサイズ又は間隔を変更すると共に、変更前のアイコンを表示した操作画面に、変更したアイコンを重畳させた操作画面を示す画像を生成し、ＵＩパネル制御部４０へ出力する。これによって、アイコンのサイズ又は間隔が変更された操作画面がＵＩパネル２２に表示される。なお、変更されたアイコン以外については、図３（Ｂ）〜（Ｄ）に示すように、アイコンの色を薄くするように変更することが好ましい。
【００３１】
再変更判定部６３は、上記のようにアイコンのサイズ又は間隔が変更された操作画面がＵＩパネル２２に表示されているとき、接触数検出部５２によって検出された、ユーザが触れたアイコンの数が、２つ以上である場合に、操作画面のアイコンを再度変更すると判定する。このとき、変更方式決定部５８において、前回設定された方式とは異なる方式が、アイコンを変更する方式として決定される。
【００３２】
ユーザ認証部６４には、管理者によって、画像処理装置１０の使用を許可するユーザを示す使用者情報としてユーザＩＤが予め登録されている。
【００３３】
ユーザは、画像処理装置１０を使用する場合、ＵＩパネル２２に表示されるテンキー、或いはＩＤ情報が記憶されたＩＣカードをＩＣカードリーダ２４により読み取らせることにより、ユーザＩＤを入力する。ユーザ認証部６４は、入力されたユーザＩＤを受け付けて、受け付けたユーザＩＤと登録されたユーザＩＤとを照合し、ユーザ認証を行う。
【００３４】
変更方式設定部６５は、上述した３つの方式の何れかを選択させる選択画面をＵＩパネル２２に表示させて、アイコンを変更する方式として、ユーザによって選択された方式を設定する。
【００３５】
ユーザ設定制御部６６は、認証されたユーザＩＤと対応させて、設定された方式を、ユーザ設定記憶部６８に記憶させる。ユーザ設定記憶部６８には、ユーザＩＤ毎に、設定された方式を示す情報が記憶されている。
【００３６】
次に、第１の実施の形態に係る画像処理装置１０の作用について説明する。
【００３７】
ＩＤ情報が入力されてユーザ認証が成功し、ＵＩパネル２２に、複数のアイコンを表示した操作画面が表示された際に、ＣＰＵ２８によって、図４、５に示すアイコン変更処理ルーチンが実行される。
【００３８】
まず、ステップ１００において、ユーザが、ＵＩパネル２２上のアイコンに触れたか否かを判定する。ユーザがＵＩパネル２２の操作画面を操作して、アイコンに触れると、ステップ１０２へ進む。
【００３９】
ステップ１０２では、上記ステップ１００でアイコンに触れたと判定されたときの、ユーザが触れたＵＩパネル２２上の領域を検出する。そして、ステップ１０４において、上記ステップ１００でアイコンに触れたと判定されたときの、ユーザが触れたアイコンの数を検出する。
【００４０】
次のステップ１０６では、上記ステップ１０４で検出されたアイコンの数が、２つ以上であるか否かを判定する。上記ステップ１０４で検出されたアイコンの数が１つである場合には、アイコン変更処理ルーチンを終了する。
【００４１】
一方、上記ステップ１０４で検出されたアイコンの数が２つである場合には、ＵＩパネル２２のアイコンを変更すると判断し、ステップ１０８へ移行する。ステップ１０８では、入力されたＩＤ情報に基づいて、アイコンを変更する方式に関するユーザ設定を取得し、ステップ１１０において、ＩＤ情報に対するユーザ設定があるか否かを判定する。ユーザのＩＤ情報に対応する、アイコンを変更する方式が既に設定されている場合には、ステップ１１２において、アイコンを変更する方式として、設定された方式に決定して、後述するステップ１２２へ移行する。
【００４２】
一方、上記ステップ１１０で、ユーザのＩＤ情報に対応する、アイコンを変更する方式が設定されていないと判定された場合には、ステップ１１４において、アイコンを変更する方式を選択させるための選択画面をＵＩパネル２２に表示させる。そして、ステップ１１６において、ユーザによって、アイコンを変更する方式が選択されたか否かを判定し、アイコンを変更する方式が選択されると、ステップ１１８へ進む。
【００４３】
ステップ１１８では、上記ステップ１１６で選択された方式を、ユーザ設定として登録する。次のステップ１２０では、アイコンを変更する方式として、上記ステップ１１６で選択された方式に決定して、後述するステップ１２２へ移行する。
【００４４】
ステップ１２２では、決定された方式に従って、上記ステップ１０２で検出されたユーザが触れた領域に対応する複数のアイコンのサイズ又は間隔を変更した操作画面を示す画像を生成して、ＵＩパネル２２に表示させる。
【００４５】
そして、ステップ１２４において、ユーザがアイコンに触れたか否かを判定する。ユーザがＵＩパネル２２の操作画面を操作して、アイコンに触れると、ステップ１２６へ進む。
【００４６】
ステップ１２６では、上記ステップ１２４でアイコンに触れたと判定されたときの、ユーザが触れたＵＩパネル２２上の領域を検出する。そして、ステップ１２８において、上記ステップ１２４でアイコンに触れたと判定されたときの、ユーザが触れたアイコンの数を検出する。
【００４７】
次のステップ１３０では、上記ステップ１２６で検出されたアイコンの数が、２つ以上であるか否かを判定する。上記ステップ１２６で検出されたアイコンの数が１つである場合には、アイコン変更処理ルーチンを終了する。
【００４８】
一方、上記ステップ１２６で検出されたアイコンの数が２つである場合には、ＵＩパネル２２のアイコンを変更すると判断し、ステップ１３２へ移行する。
【００４９】
ステップ１３２では、アイコンを変更する方式として、上記ステップ１２０又はステップ１３２で前回決定された方式とは異なる方式に決定して、上記のステップ１２２へ戻る。
【００５０】
そして、ユーザが、ＵＩパネル２２上の１つのアイコンに触れた場合には、画像処理装置１０は、触れられたアイコンに応じた動作を行う。
【００５１】
以上説明したように、第１の実施の形態に係る画像処理装置によれば、ＵＩパネルに表示された２以上のアイコンの領域にユーザが触れた場合、触れた領域に対応する複数のアイコンの各々の大きさ又は間隔を変更して表示させる構成を有しない場合と比較して、ユーザが、ＵＩパネルの誤ったアイコンの領域に触れて誤操作することを抑制する。
【００５２】
また、ユーザＩＤ毎に、触れた領域に対応する複数のアイコンを変更する方式を、３つの方式の中から設定しておく。
【００５３】
また、ユーザが、繰り返し、ＵＩパネルに表示された２以上のアイコンの領域に触れた場合、触れた領域に対応する複数のアイコンを変更する方式を変える構成を有しない場合と比較して、ユーザが、ＵＩパネルの誤ったアイコンの領域に触れて誤操作することを抑制する。
【００５４】
次に、第２の実施の形態について説明する。なお、第１の実施の形態と同様の構成となる部分については、同一符号を付して説明を省略する。
【００５５】
第２の実施の形態では、選択画面において選択された結果を履歴として登録し、ユーザ設定が登録されていない場合に、履歴に基づいて、アイコンを変更する方式を決定している点が、第１の実施の形態と異なっている。
【００５６】
画像処理装置１０のＣＰＵ２８、ＲＯＭ３０、ＲＡＭ３２、ＨＤＤ３４を、機能ブロックで表すと、図６に示すように、アイコン接触検出部５０、接触数検出部５２、接触領域検出部５４、変更判定部５６、変更方式決定部５８、サイズ決定部６０、変更画像生成部６２、再変更判定部６３、ユーザ認証部６４、変更方式設定部６５、ユーザ設定制御部６６、ユーザ設定記憶部６８、変更方式選択部２６５、ユーザ履歴記憶制御部２６７、及びユーザ履歴記憶部２６９を備えている。
【００５７】
変更方式設定部６５は、上述した３つの方式の何れかを設定させるユーザ設定画面をＵＩパネル２２に表示させて、ユーザによって選択された方式を設定する。
【００５８】
ユーザ設定制御部６６は、認証されたユーザＩＤと対応させて、設定された方式を、ユーザ設定記憶部６８に記憶させる。ユーザ設定記憶部６８には、ユーザＩＤ毎に、設定された方式を示す情報が記憶される。
【００５９】
変更方式選択部２６５は、上述した３つの方式の何れかを選択させる選択画面をＵＩパネル２２に表示させて、ユーザによって選択された方式を取得する。
【００６０】
ユーザ履歴記憶制御部２６７は、認証されたユーザＩＤと対応させて、上記の選択画面を介して上述した３つの方式の何れかを選択した履歴を、ユーザ履歴記憶部２６９に記憶させる。ユーザ履歴記憶部２６９には、ユーザＩＤ毎に、選択された方式を示す履歴情報が記憶される。
【００６１】
次に、第２の実施の形態に係るアイコン変更処理ルーチンについて、図５、７を用いて説明する。なお、第１の実施の形態と同様の処理については、同一符号を付して詳細な説明を省略する。
【００６２】
まず、ステップ１００において、ユーザがアイコンに触れたか否かを判定し、ユーザがＵＩパネル２２の操作画面を操作して、アイコンに触れると、ステップ１０２へ進み、ユーザが触れたＵＩパネル２２上の領域を検出する。そして、ステップ１０４において、ユーザが触れたアイコンの数を検出する。
【００６３】
次のステップ１０６では、上記ステップ１０４で検出されたアイコンの数が、２つ以上であるか否かを判定する。上記ステップ１０４で検出されたアイコンの数が１つである場合には、アイコン変更処理ルーチンを終了する。
【００６４】
一方、上記ステップ１０４で検出されたアイコンの数が２つである場合には、ステップ１０８において、入力されたＩＤ情報に基づいて、アイコンを変更する方式に関するユーザ設定を取得する。そして、ステップ１１０において、ＩＤ情報に対するユーザ設定があるか否かを判定する。ユーザのＩＤ情報に対応する、アイコンを変更する方式が既に設定されている場合には、ステップ１１２において、アイコンを変更する方式として、設定された方式に決定して、ステップ１２２へ移行する。
【００６５】
一方、上記ステップ１１０で、ユーザのＩＤ情報に対応する、アイコンを変更する方式が設定されていないと判定された場合には、ステップ２００において、入力されたＩＤ情報に基づいて、アイコンを変更する方式に関する選択履歴を取得し、後述するステップ２０４の選択画面でのユーザの選択頻度が閾値以上であるか否かを判定する。ユーザの選択頻度が閾値以上である場合には、ステップ２０２において、アイコンを変更する方式として、選択頻度が最も高い方式に決定して、ステップ１２２へ移行する。
【００６６】
一方、上記ステップ２００で、ユーザの選択頻度が閾値未満である場合には、ステップ２０４において、アイコンを変更する方式を選択させるための選択画面をＵＩパネル２２に表示させる。そして、ステップ２０６において、ユーザによって、アイコンを変更する方式が選択されたか否かを判定し、アイコンを変更する方式が選択されると、ステップ２０８へ進む。
【００６７】
ステップ２０８では、上記ステップ２０６で選択された方式を、ユーザ履歴として登録する。次のステップ２１０では、アイコンを変更する方式として、上記ステップ２０６で選択された方式に決定して、ステップ１２２へ移行する。
【００６８】
ステップ１２２では、決定された方式に従って、上記ステップ１０２で検出された、ユーザが触れた領域に対応する複数のアイコンのサイズ又は間隔を変更した操作画面を示す画像を生成して、ＵＩパネル２２に表示させる。
【００６９】
そして、ステップ１２４において、ユーザがアイコンに触れたか否かを判定する。ユーザがＵＩパネル２２の操作画面を操作して、アイコンに触れると、ステップ１２６へ進む。
【００７０】
ステップ１２６では、上記ステップ１２４でアイコンに触れたと判定されたときの、ユーザが触れたＵＩパネル２２上の領域を検出する。そして、ステップ１２８において、上記ステップ１２４でアイコンに触れたと判定されたときの、ユーザが触れたアイコンの数を検出する。
【００７１】
次のステップ１３０では、上記ステップ１２６で検出されたアイコンの数が、２つ以上であるか否かを判定する。上記ステップ１２６で検出されたアイコンの数が１つである場合には、アイコン変更処理ルーチンを終了する。
【００７２】
一方、上記ステップ１２６で検出されたアイコンの数が２つである場合には、ＵＩパネル２２のアイコンを変更すると判断し、ステップ１３２へ移行する。
【００７３】
ステップ１３２では、アイコンを変更する方式として、前回決定された方式とは異なる方式に決定して、上記のステップ１２２へ戻る。
【００７４】
なお、上記の実施の形態では、アイコンを変更する方式として、３つの方式から、何れか１つの方式を決定する場合を例に説明したが、これに限定されるものではなく、４つ以上の方式、又は２つの方式から、何れか１つの方式を決定するようにしてもよい。また、アイコンを変更する方式として、予め定めた１つの方式を用いるようにしてもよい。
【００７５】
また、ユーザＩＤ毎に、アイコンを変更する方式を設定する場合を例に説明したが、これに限定されるものではない。例えば、画像処理装置に対して、アイコンを変更する方式を設定するようにしてもよい。この場合には、ユーザＩＤに関わらず、アイコンを変更する方式が決定される。
【符号の説明】
【００７６】
１０  画像処理装置
２２  ＵＩパネル
４０  ＵＩパネル制御部
５０  アイコン接触検出部
５２  接触数検出部
５４  接触領域検出部
５６  変更判定部
５８  変更方式決定部
６０  サイズ決定部
６２  変更画像生成部
６３  再変更判定部
６４  ユーザ認証部
６５  変更方式設定部
６６  ユーザ設定制御部
６８  ユーザ設定記憶部
２６５  変更方式選択部
２６７  ユーザ履歴記憶制御部
２６９  ユーザ履歴記憶部
【図１】
0005691310.tif 000002
【図２】
0005691310.tif 000003
【図４】
0005691310.tif 000004
【図５】
0005691310.tif 000005
【図６】
0005691310.tif 000006
【図７】
0005691310.tif 000007
【図３】
0005691310.tif 000008